(57)【特許請求の範囲】
【請求項１】
複数の空調機グループを監視・制御する集中コントローラを備える空調管理システムにおいて、
前記集中コントローラはコントローラ表示部を備え、
前記複数の空調機グループが複数の空調機グループ毎に分類されて表示され、前記複数の空調機グループにそれぞれ対応するグループ表示部の全てと、前記分類された複数の空調機グループを有する各空調機ブロックにそれぞれ対応するブロック表示部の全てと、を前記コントローラ表示部の１つの画面に一括表示させるグループ表示手段と、
前記複数の空調機グループのそれぞれの運転情報を前記コントローラ表示部の１つの画面に一括表示させるグループ運転情報表示手段と、
前記コントローラ表示部に表示させる表示内容を切り替える表示内容切り替え手段と、を備え、
前記コントローラ表示部に通常表示する通常表示画面では、前記複数の空調機グループにそれぞれ対応する前記グループ表示部の全てを前記１つの画面に一括表示させ、前記表示内容切り替え手段により、全ての空調機グループの運転情報を前記１つの画面に一括表示させる際には、前記各グループ表示部に対応する各空調機グループの運転情報を前記１つの画面における同一部分に表示し、
前記空調機グループの前記運転情報の表示項目は、各空調機グループの「運転モード表示」「設定温度表示」「風量表示」「風向表示」「室外ユニット運転サイクル表示」「蓄熱運転中の表示」「点検要否の表示」「運転制限中の表示」「要フィルタ清掃の表示」「タイマー設定有りの表示」「リモコン操作禁止の表示」「吸込温度表示」「外気温度表示」「リモコンサーモ表示」「リモートサーモ表示」「圧縮機運転状態表示」「空調機運転時間表示」「サーモオン時間表示」のうちの少なくとも１つ以上であり、更に
前記集中コントローラは、前記表示項目のうち少なくとも「設定温度表示」が可能で且つ各空調機グループの冷房推奨温度及び暖房推奨温度を設定可能に構成され、更に前記空調機グループにもそれらの設定温度を設定可能なリモコンを備え、前記「設定温度表示」画面では、前記集中コントローラで設定された冷房推奨温度より低い温度が設定されている空調機グループ、又は前記暖房推奨温度より高い温度が設定されている空調機グループの表示を他の空調機グループの表示とは異なる警告表示とした
ことを特徴とする空調管理システム。
【請求項２】
請求項１において、前記集中コントローラにおける「設定温度表示」では、摂氏、華氏など複数種類の温度表示が可能な構成となっていることを特徴とする空調管理システム。
【請求項３】
請求項１において、前記集中コントローラには冷房推奨温度設定ボタン及び暖房推奨温度設定ボタンを備え、これらの推奨温度設定ボタンにより、前記警告表示状態にある全て或いは一部の空調機グループの設定温度を強制的に変更可能な構成としていることを特徴とする空調管理システム。
【請求項４】
請求項３において、前記冷房推奨温度設定ボタン又は暖房推奨温度設定ボタンからの設定温度の一括制御から制御対象除外の空調機グループを設定可能に構成したことを特徴とする空調管理システム。
【発明の詳細な説明】
【技術分野】
【０００１】
本発明は、複数の空調機の管理を行う空調管理システムに関し、特に複数の空調機グループの情報を一括で表示するものに関する。
【背景技術】
【０００２】
空調管理システムは、複数の空調機の管理を行う集中コントローラを備え、この集中コントローラは、空調機グループの運転状態の表示・設定を行う。即ち、部屋毎、フロア毎等に複数の空調機を空調機グループ（以下、単に「グループ」ともいう）として扱い、管理を行う。【０００３】
従来の空調管理システムとしては特許文献１に記載のものなどがある。
【先行技術文献】
【特許文献】
【０００４】
【特許文献１】特開２００９−３６３９２号公報
【発明の概要】
【発明が解決しようとする課題】
【０００５】
上記従来の空調管理システムにおける集中コントローラでは、運転状態や運転データをグループ毎に表示して確認できるようにしている。しかし、グループをリスト表示して、グループ毎の設定温度や要フィルタ清掃等の多くの情報を一度にまとめて表示するものであるため、知りたい情報を確認しづらいという課題がある。また、知りたい情報を表示させるためにはいくつかの複雑な操作をする必要がある。【０００６】
本発明の目的は、集中コントローラの表示部に、複数の空調機グループの各種運転情報を、簡単な操作で確認しやすく表示することができる空調管理システムを得ることにある。
【課題を解決するための手段】
【０００７】
上記目的を達成するため、本発明は、複数の空調機グループを監視・制御する集中コントローラを備える空調管理システムにおいて、前記集中コントローラはコントローラ表示部を備え、前記複数の空調機グループが複数の空調機グループ毎に分類されて表示され、前記複数の空調機グループにそれぞれ対応するグループ表示部の全てと、前記分類された複数の空調機グループを有する各空調機ブロックにそれぞれ対応するブロック表示部の全てと、を前記コントローラ表示部の１つの画面に一括表示させるグループ表示手段と、前記複数の空調機グループのそれぞれの運転情報を前記コントローラ表示部の１つの画面に一括表示させるグループ運転情報表示手段と、前記コントローラ表示部に表示させる表示内容を切り替える表示内容切り替え手段と、を備え、前記コントローラ表示部に通常表示する通常表示画面では、前記複数の空調機グループにそれぞれ対応する前記グループ表示部の全てを前記１つの画面に一括表示させ、前記表示内容切り替え手段により、全ての空調機グループの運転情報を前記１つの画面に一括表示させる際には、前記各グループ表示部に対応する各空調機グループの運転情報を前記１つの画面における同一部分に表示し、前記空調機グループの前記運転情報の表示項目は、各空調機グループの「運転モード表示」「設定温度表示」「風量表示」「風向表示」「室外ユニット運転サイクル表示」「蓄熱運転中の表示」「点検要否の表示」「運転制限中の表示」「要フィルタ清掃の表示」「タイマー設定有りの表示」「リモコン操作禁止の表示」「吸込温度表示」「外気温度表示」「リモコンサーモ表示」「リモートサーモ表示」「圧縮機運転状態表示」「空調機運転時間表示」「サーモオン時間表示」のうちの少なくとも１つ以上であることを特徴とする。
【０００８】
本発明の他の特徴は、部屋毎、フロア毎等に複数の空調機をグループとして扱い、複数の空調機グループを監視・制御する集中コントローラを備える空調管理システムにおいて、前記集中コントローラはコントローラ表示部を備え、前記複数の空調機グループが複数の空調機グループ毎に分類されて表示され、前記複数の空調機グループにそれぞれ対応するグループアイコンの全てと、前記分類された複数の空調機グループを有する各空調機ブロックにそれぞれ対応するブロック表示部の全てと、を前記コントローラ表示部の１つの画面に一括表示させ、前記複数の空調機グループのそれぞれの運転情報を、前記コントローラ表示部の１つの画面に一括表示されている前記グループアイコンの部分に表示させる構成とし、前記各空調機グループの各種の運転情報を、前記コントローラ表示部に一括表示されている前記グループアイコンの部分に順次表示させていく表示内容切り替えボタンを備え、前記コントローラ表示部に通常表示する通常表示画面では、前記複数の空調機グループにそれぞれ対応する前記グループアイコンの全てを前記１つの画面に一括表示させ、前記表示内容切り替えボタンにより、全ての空調機グループの運転情報を前記１つの画面に一括表示させる際には、前記各グループ表示部に対応する各空調機グループの運転情報を前記１つの画面における同一部分に表示し、前記空調機グループの前記運転情報の表示項目は、各空調機グループの「運転モード表示」「設定温度表示」「風量表示」「風向表示」「室外ユニット運転サイクル表示」「蓄熱運転中の表示」「点検要否の表示」「運転制限中の表示」「要フィルタ清掃の表示」「タイマー設定有りの表示」「リモコン操作禁止の表示」「吸込温度表示」「外気温度表示」「リモコンサーモ表示」「リモートサーモ表示」「圧縮機運転状態表示」「空調機運転時間表示」「サーモオン時間表示」のうちの少なくとも１つ以上であることにある。
【発明の効果】
【０００９】
本発明によれば、集中コントローラの表示部に、複数の空調機グループの各種運転情報を、簡単な操作で確認しやすく表示させることができる空調管理システムを得ることができる。
【図面の簡単な説明】
【００１０】
【図１】本発明の実施例１を示す空調管理システムの全体構成を示す図。
【図２】本発明の実施例１を示す空調管理システムの制御ブロック図。
【図３】集中コントローラの表示部に通常表示される通常表示画面の例を示す図。
【図４】運転モード表示画面の例を示す図。
【図５】設定温度表示画面の例を示す図。
【図６】風量表示画面の例を示す図。
【図７】風向表示画面の例を示す図。
【図８】風向角度の設定を説明する図。
【図９】運転の詳細設定画面をポップアップで示す図。
【図１０】メンテナンス情報表示画面の例を示す図。
【図１１】圧縮機運転状態表示画面の例を示す図。
【図１２】空調機の運転時間表示画面の例を示す図。
【図１３】冷房推奨温度及び暖房推奨温度を設定する画面の例を示す図。
【図１４】表示モード毎に表示する詳細情報を設定するための画面の例を示す図。
【図１５】表示部への詳細情報表示の切り替わりを説明するフロー図。
【図１６】表示部への詳細情報表示の切り替わりの別の例を説明するフロー図。
【図１７】図５に示す設定温度表示画面で、グループで設定した設定温度と集中コントローラで予め設定した冷房推奨温度或いは暖房推奨温度が異なる場合のグループアイコンの表示を説明するフロー図。
【図１８】表示する詳細情報の表示モード毎の設定を説明するフロー図。
【発明を実施するための形態】
【００１１】
以下、本発明の実施例を図面に基づいて説明する。
【実施例１】
【００１２】
本実施例の空調管理システムを図１及び図２により説明する。  
図１は空調管理システムの全体構成を示す図で、空調管理システム１は複数の空調機の管理を行う集中コントローラ２を備えている。この集中コントローラ２は、空調機グループＡ１，Ａ２，…（図１ではグループはＡ１，Ａ２のみ示しているがグループ数は３以上でも良い）の運転状態の表示・設定を行う。即ち、部屋毎、フロア毎等に複数の室内ユニット４（４１，…，４ｎ）をグループＡ１，Ａ２，…として扱い、管理を行う。前記各空調機グループは、例えば１つのリモコンスイッチ５に接続されている複数の室内ユニット４（４１，…，４ｎ）をまとめたものであり、これらを一括して監視・制御が可能な構成になっている。【００１３】
また、複数のグループＡ１，Ａ２，…をまとめたものを空調機ブロック（以下、ブロックという）Ａとして扱う。図１ではブロックＡのみ示しているが、１つの集中コントローラ２に２以上のブロック（ブロックＢ，Ｃ，Ｄ，…）を接続することもできる。【００１４】
前記集中コントローラ２には制御配線６を介して、複数の室外ユニット３、複数の室内ユニット４、蓄熱ユニット７、リモコンスイッチ（以下、単に「リモコン」ともいう）５などが接続されている。【００１５】
図２は本実施例における空調管理システムの制御ブロック図である。集中コントローラ２は、通信部２ａ、制御部２ｂ、入力部２ｃ、コントローラ表示部２ｄ、記憶部２ｅを有している。室内ユニット４には前記集中コントローラ２、室外ユニット３及びリモコン５と通信をするための通信部４ａと、制御部４ｂを備えている。前記室外ユニットには前記室内ユニットの通信部４ａと通信するための通信部３ａと制御部３ｂを有する。前記リモコン５には、前記室内ユニットの通信部４ａと通信するための通信部５ａ、制御部５ｂ、入力部５ｃ、表示部５ｄ、記憶部５ｅなどが備えられている。【００１６】
前記集中コントローラ２の前記制御部２ｂは、入力部２ｃからの運転指示要求（運転モード、設定温度の変更等）を前記通信部２ａから制御配線６を介して室内ユニット４に送信する。その運転指示要求を室内ユニット４の前記通信部４ａで受信し、制御部４ｂで運転指示要求を実行する。その実行後、室内ユニットの制御部４ｂは、通信部４ａ及び制御配線６を介して前記集中コントローラ２に変更データを送信する。集中コントローラ２の通信部２ａは室内ユニット４の通信部４ａからの変更データを受信し、その変更内容をコントローラ表示部２ｄに表示する。また、前記変更データは、前記室内ユニットの通信部４ａから制御配線６を介して前記室外ユニット３とリモコン５にも送信される。【００１７】
リモコン５からも室内ユニット４に運転指示要求が可能であり、このリモコン５からの運転指示要求は、リモコンの通信部５ａ及び制御配線６を介して前記室内ユニット４の通信部４ａに送信される。このリモコン５からの運転指示要求があった場合も、その変更データは、室内ユニット４の通信部４ａ及び制御配線６を介して前記集中コントローラ２と前記室外ユニット３にも送信される。【００１８】
また、前記室内ユニット４と前記集中コントローラ２とは、運転データが変更される度に、或いは一定時間間隔で通信が行われ、集中コントローラ２は、室内ユニット４から受信した室外ユニット３と室内ユニット４の運転情報等を記憶部２ｅに保存する。これにより、各空調機グループＡ１，Ａ２…の情報（運転情報やグループ名称など）を前記コントローラ表示部２ｄに表示させて確認することが可能になる。【００１９】
次に、本実施例における前記集中コントローラ２の表示部２ｄでの表示例について図３〜図１８を用いて説明する。  
図３は集中コントローラ２が通常表示する通常表示画面である。図において、８ａは空調機グループ個々に対応するグループアイコンであり、８ｂは複数の空調機グループ毎に分類された空調機ブロック個々に対応するブロックアイコンである。グループアイコン８ａには各空調機グループのグループ名称、ブロックアイコン８ｂには各空調機ブロックのブロック名称が表示される。【００２０】
この例では、ブロックアイコン８ｂとしては、Ａブロック（１Ｆ中央）、Ｂブロック（１Ｆ会議室）、Ｃブロック（１Ｆ事務所）、Ｄブロック（２Ｆテナント）の４つのブロックが表示されている。前記各ブロックは１グループ以上の空調機グループを有しており、各ブロックに含まれる空調機グループのグループアイコン８ａが各ブロックアイコンの下に表示されている。即ち、ブロックアイコンＡの下にはグループアイコンＡ１（総務部を空調する空調機グループ）、Ａ２（経理部を空調する空調機グループ）、…などのグループアイコンが配置され表示されている。【００２１】
同様に、ブロックアイコンＢの下にはグループアイコンＢ１（会議室１用空調機グループ）、Ｂ２（会議室２用空調機グループ）、…などのグループアイコンが、ブロックアイコンＣの下にはグループアイコンＣ１（事務所Ａ用空調機グループ）、Ｃ２（事務所Ｂ用空調機グループ）、…などのグループアイコンが、ブロックアイコンＤの下にはグループアイコンＤ１（テナント１Ａ用空調機グループ）、Ｄ２（テナント１Ｂ用空調機グループ）、…などのグループアイコンがそれぞれ表示されている。【００２２】
前記各グループアイコン８ａは、運転／停止毎に異なる色で表示されるように構成されている。【００２３】
蓄熱運転中、要点検、運転制限中、要フィルタ清掃、タイマー設定有り等が当てはまる室内ユニット３或いは蓄熱ユニット７を１つ以上含むグループが１グループ以上存在する場合、或いは集中コントローラ２に接続されている全ての室内ユニット４がリモコン操作禁止設定の場合には、コントローラ表示部２ｄ上部に各種情報アイコン８ｃが表示される。コントローラ表示部２ｄ上部には日付や時刻も表示される。【００２４】
また、前記コントローラ表示部２ｄの下部には、詳細表示ボタン８ｄ、メニューボタン８ｊ、全グループ一括設定ボタン８ｋ、全グループ一括運転ボタン８ｌ、全グループ一括停止ボタン８ｍなどが表示されている。【００２５】
前記詳細表示ボタン８ｄを押すと、通常表示画面８から詳細情報１表示画面９に切り替わる。それ以降の詳細情報表示画面の切り替え方法としては２種類ある。【００２６】
１つ目の方法は、詳細情報１表示画面９に切り替わった後、前記コントローラ表示部２ｄの下部には、図４のように、詳細表示ボタン８ｄ、通常表示ボタン８ｇ、全グループ一括設定ボタン８ｋを表示する。図１５のフロー図に示すように、前記詳細表示ボタン８ｄを押す毎に、「詳細情報１表示画面９→詳細情報２表示画面１０→  …  →詳細情報ｎ表示画面２０→通常表示画面８」と表示が順次切り替わる。通常表示ボタン８ｇを設けておくことにより、どの詳細表示画面からでも前記通常表示画面８に戻すことができる。【００２７】
この実施例では、前記詳細情報１表示画面９は、図４に示す運転モード表示画面になる。この運転モード表示画面９で、詳細表示ボタン８ｄを押すと１つ次の詳細情報画面（一つ次の画面が通常表示画面であれば通常表示画面）が表示される。また、前記通常表示ボタン８ｇを押せば通常表示画面に戻るように構成されている。即ち、図１５のフロー図に示すように、図３に示す通常表示画面８で詳細表示ボタン８ｄを押すと、詳細情報１表示画面９（運転モード表示画面）に遷移し、再度前記詳細表示ボタン８ｄを押せば１つ次の詳細情報２表示画面１０（この例では図５に示す設定温度表示画面）に切り替わる。以下、詳細表示ボタン８ｄを押す毎に、次の詳細情報表示画面に遷移し、詳細情報ｎ表示画面２０で詳細表示ボタン８ｄを押すと通常表示画面８に戻る。更に、どの詳細情報表示画面からでも前記通常表示ボタン８ｇを押すことで、通常表示画面８に戻すことができる。【００２８】
もう１つの詳細情報表示画面の切り替え方法としては、詳細情報１表示画面９に切り替わった後、前記コントローラ表示部２ｄの下部に、図６のように、前情報ボタン８ｅ、後情報ボタン８ｆ、通常表示ボタン８ｇ、全グループ一括設定ボタン８ｋを表示する。これにより図１６のフロー図に示すように、後情報ボタン８ｆを押す毎に、「詳細情報１表示画面９→詳細情報２表示画面１０→  …  →詳細情報ｎ表示画面２０→通常表示画面８」と表示が順次切り替わるように構成する。また、通常表示ボタン８ｇを設けておくことにより、どの詳細表示画面からでも前記通常表示画面８に戻すことができる。【００２９】
この例でも同様に、前記詳細情報１表示画面９は、図４に示す運転モード表示画面であり、この運転モード表示画面９で、前記後情報ボタン８ｆを押せば１つ次の詳細情報画面（一つ次の画面が通常表示画面であれば通常表示画面）が表示され、前情報ボタン８ｅを押せば１つ前の詳細情報画面（一つ前の画面が通常表示画面であれば通常表示画面）が表示される。また、前記通常表示ボタン８ｇを押せば通常表示画面に戻るように構成されている。即ち、図１６のフロー図に示すように、図３に示す通常表示画面８で詳細表示ボタン８ｄを押すと、詳細情報１表示画面９（運転モード表示画面）に遷移し、次に前記後情報ボタン８ｆを押せば１つ次の詳細情報２表示画面１０（図５に示す設定温度表示画面）に切り替わる。以下、後情報ボタン８ｆを押す毎に、次の詳細情報表示画面に遷移し、詳細情報ｎ表示画面２０で後情報ボタン８ｆを押すと通常表示画面８に戻る。また、前記前情報ボタン８ｅを押せば１つ前の詳細情報画面を表示でき、この前情報ボタン８ｅを押す毎に順次前の画面を表示する。更に、どの詳細情報表示画面からでも前記通常表示ボタン８ｇを押すことで、通常表示画面８に戻すことができる。【００３０】
なお、詳細情報表示画面を切り替えた後、一定時間ボタン操作がない場合には、一定時間経過後、自動的に通常表示画面８に戻る構成にしても良い。【００３１】
本実施例では、前記詳細情報２表示画面（設定温度表示画面）１０で詳細表示ボタン８ｄ或いは後情報ボタン８ｆを押すと、図６に示す風量表示画面１１に移り、更に詳細表示ボタン８ｄ或いは後情報ボタン８ｆを押す毎に、順次、図７に示す風向表示画面１２、図１０に示すメンテナンス情報表示画面１４、図１１に示す圧縮機運転状態表示画面１５、図１２に示す空調機運転時間表示画面１６と切り替わる。このように本実施例によれば、詳細表示ボタン８ｄ或いは後情報ボタン８ｆを押す毎に、順次、次の画面に遷移させて全空調機グループの運転情報などを１画面に表示できるため、表示したい運転情報はいくらでも表示させていくことができる。また、全てのグループアイコンを一括表示（１つの画面に全グループアイコンを表示）すると共に、各グループのアイコンはコントローラ表示部２ｄの同じ位置に常に表示させるようにしているので、どの詳細情報表示画面に移っても、瞬時に確認したい空調機グループの運転情報を確認できる。【００３２】
次に、各詳細情報画面の表示内容を説明する。  
運転モード表示画面９では、図４に示すように、各空調機グループの運転モード別に異なる色（本実施例では各グループアイコン８ａを異なる模様の網掛けで示すことで色の違いを表現している）でグループアイコン８ａを表示している。異運転モード（集中コントローラ２から設定した運転モードと、室外ユニット３の運転サイクル状態により、実際に運転している運転モードが異なる）の場合、両方の運転モードを表示する。図４の異運転モードグループアイコン９ａのように、上段に集中コントローラ２から設定した運転モード（異運転モード）の「暖房」を表示し、下段に実際に運転している室外ユニット３の運転モード（実運転モード）の「冷房」を点滅させて表示する。【００３３】
設定温度表示画面１０では、図５に示すように、各空調機グループの設定温度が表示される。予め推奨温度を設定することができ、設定温度表示画面１０で、冷房運転中に設定温度が冷房推奨温度より低く設定されている、或いは暖房運転中に設定温度が暖房推奨温度より高く設定されていることが確認できる。冷房推奨温度、暖房推奨温度は、図３に示す通常表示画面のメニューボタン８ｊから図１３に示す推奨温度設定画面１７に遷移し、共通の画面でまとめて設定できる。【００３４】
図５において、冷房運転中の空調機グループの設定温度が冷房推奨温度（この例では２８℃）より低い場合は、そのグループアイコン８ａは通常と異なる色で表示される。図５の画面で冷房推奨温度設定ボタン８ｈを押すと、冷房推奨温度より低く設定されている空調機グループの設定温度は冷房推奨温度（２８℃）に強制的に一括変更され、冷房推奨温度に変更されたグループアイコン８ａは通常の色で表示される。【００３５】
同様に、図５において、暖房運転中の空調機グループの設定温度が暖房推奨温度（この例では２０℃）より高い場合は、そのグループアイコン８ａを、前記通常の色や前記冷房推奨温度より低い場合の色以外で表示している。図５の画面で暖房推奨温度設定ボタン８ｉを押すと、暖房推奨温度より高く設定されている空調機グループの設定温度は暖房推奨温度（２０℃）に強制的に一括変更され、暖房推奨温度に変更されたグループアイコン８ａは通常の色で表示される。【００３６】
なお、この例では、冷房運転中に設定温度が冷房推奨温度より低い場合、或いは暖房運転中に設定温度が暖房推奨温度より高い場合に異なる色で警告表示しているが、色の代わりにアイコンの点滅などで警告表示するようにしても良い。【００３７】
また、前記冷房推奨温度設定ボタン８ｈ又は前記暖房推奨温度設定ボタン８ｉにより強制的に一括変更される空調機グループと、一括変更の対象とはならない空調機グループを予め設定しておくようにすれば、空調管理対象エリアの実情に合わせて柔軟に対応可能となる。【００３８】
上述した図５の表示方法をフロー図で示すと図１７のようになる。即ち、（ａ）図に示すように、図１、図２に示す集中コントローラ２により冷房推奨温度が設定されている場合、グループの設定温度が前記冷房推奨温度より低く設定されていて、一括変更の対象であるグループのグループアイコン８ａは通常色と異なる色で表示される。この状態から図５に示す冷房推奨温度設定ボタン８ｈを押すと、変更対象となる前記全てのグループの設定温度は前記冷房推奨温度に強制変更されると共にグループアイコン８ａも通常色で表示される。同様に、（ｂ）図に示すように、図１、図２に示す集中コントローラ２により暖房推奨温度が設定されている場合、グループの設定温度が前記暖房推奨温度より高く設定されていて、一括変更の対象であるグループのグループアイコン８ａは通常色や前記冷房推奨温度より低い場合の色と異なる色で表示される。この状態から図５に示す暖房推奨温度設定ボタン８ｉを押すと、変更対象となる前記全てのグループの設定温度は前記暖房推奨温度に強制変更されると共にグループアイコン８ａも通常色で表示される。図示はしていないが、設定温度は摂氏、華氏の表示の切り替えが可能である。【００３９】
風量表示画面１１では、図６に示すように、各空調機グループの風量別に異なる色でグループアイコン８ａを表示している。【００４０】
図７に示す風向表示画面１２では室内ユニット４から吹出される吹出空気の風向角度を表示する。風向角度の設定は図８に示すように、本実施例では８段階に設定でき、集中コントローラ２の表示部２ｄでの表示も、その設定された風向に表示される。即ち、風向の１段目は最も水平方向に吹出す角度であり、２段目、３段目と次第に下向きに変わり、７段目で最も下向きの吹出す角度となる。更に、自動風向モードも備えており、この自動風向モードでは風向が水平から下向きへ、また下向きから水平へと自動的に風向が変化するモードである。図７に示すように、風向角度が固定されている空調機グループと自動風向モードに設定されているグループ別に異なる色でグループアイコン８ａを表示している。【００４１】
なお、図示はしていないが、室外ユニット３の運転サイクル状態を表示する室外ユニット運転サイクル表示画面も備えており、この室外ユニット運転サイクル表示画面では、室外ユニット３の運転モード（冷房運転モード、暖房運転モード、冷暖自動運転モード、ドライ運転モードなど）を表示する。図４に示す運転モード表示画面９と同様に、運転モード別に異なる色でグループアイコン８ａを表示する。【００４２】
上述した運転モード表示画面９（図４）、設定温度表示画面１０（図５）、風量表示画面１１（図６）、風向表示画面１２（図７）、室外ユニット運転サイクル表示画面（図示せず）において、ある空調機グループのグループアイコン８ａ、ブロックアイコン８ｂ或いは全グループ一括設定ボタン８ｋを押すと、図９に示す運転条件設定画面１３がポップアップで表示される。この運転条件設定画面１３から、その空調機グループ、ブロック或いは全ての空調機グループの運転／停止の設定、運転モードの設定、設定温度の設定、風量の設定、風向の設定、リモコン操作の設定（許可／禁止）や、設定内容の変更ができる。【００４３】
図１０に示すメンテナンス情報表示画面１４では、それぞれの空調機グループが、蓄熱運転中、要点検、運転制限中（デマンド設定有り）、要フィルタ清掃、タイマー設定有り、リモコン操作禁止の少なくとも何れかに該当する場合、それらの情報に該当する各種情報アイコン８ｃが、図に示すように、該当するグループアイコン８ａに表示される。その場合、そのグループアイコン８ａは通常と異なる色で表示される。【００４４】
図示はしていないが、上記表示画面の他に、詳細情報表示画面としては、吸込温度表示画面、外気温度表示画面、リモコンサーモ表示画面、リモートサーモ表示画面なども有しており、それぞれの温度を図５に示す設定温度表示画面１０と同様に表示する。前記リモコンサーモ表示画面ではリモコンスイッチ周辺の温度を表示し、リモートサーモ表示画面では吸込温度とリモコンサーモの平均値を表示する。【００４５】
図１１に示す圧縮機運転状態表示画面１５では、その空調機グループが配管接続されている室外ユニットの圧縮機が作動中の場合にはサーモＯＮ、圧縮機停止中はサーモＯＦＦと表示する。サーモＯＮの場合は、そのグループアイコン８ａは通常と異なる色で表示される。【００４６】
図１２に示す空調機の運転時間表示画面１６では、当該空調機グループの室内ユニット４の、例えば当月の運転時間を「○○時間」或いは「○○ｈ」「○○Ｈ」と表示する。図１２において、予め運転目安時間（この例では６００時間）を設定することができ、その時間を超えた場合は、そのグループアイコン８ａは通常と異なる色で表示される。【００４７】
図示はしていないが、前記室外ユニットの圧縮機のサーモＯＮ時間表示画面では、その室外ユニットに接続されている空調機グループにおける当月の圧縮機運転時間を、図１２に示す室内ユニットの運転時間表示画面１６と同様に表示する。【００４８】
図１３は、冷房推奨温度、暖房推奨温度を設定する画面１７を示し、図３に示す画面のメニューボタン３ｊからこの画面１７に遷移させることができ、全空調機グループの冷房推奨温度及び暖房推奨温度を一括して設定することができる。【００４９】
また、図３に示す前記メニューボタン３ｊから図１４に示す詳細情報表示設定画面１８に遷移させることもできる。上述した詳細情報表示画面９〜１６などの表示について、この表示項目は多数設定することが可能であるため、全ての詳細情報表示画面を常に順次表示するようにしたのでは、目的とする情報に辿り着くまでに時間が掛かってしまうことも予想される。そこで、本実施例では、この詳細情報表示設定画面１８により、集中コントローラ２を操作する操作者（管理人やサービスマンなど）に応じて必要な情報のみを表示するように、予め表示項目を適宜設定しておくことができるようにしている。即ち、詳細情報表示設定画面１８により、表示モード１には詳細情報１、２を表示させ、表示モード２には詳細情報３を表示させるという設定ができるようになっている。【００５０】
例えば、図１４に示す詳細情報表示設定画面１８において、運転モード表示画面９（図４）及び設定温度表示画面１０（図５）については、表示モード１ボタン１８ａを押すことで表示モード１での表示を選択し、吸込温度表示画面及びリモコンサーモ表示画面については、表示モード２ボタン１８ｂを押すことで表示モード２での表示を選択する。このようにして各詳細情報の表示の要否を表示モード毎に選択できる。このような選択を行うことで、運転モード表示画面９と設定温度表示画面１０を表示モード１で順次表示させ、吸込温度表示画面とリモコンサーモ表示画面を表示モード２で順次表示させることができる。【００５１】
これにより、表示モード１を監視モードとして、運転モードと設定温度を表示させ、表示モード２を点検モードとして、吸込温度とリモコンサーモを表示させる、という使い方ができる。【００５２】
この操作をフロー図で示すと図１８のようになる。各詳細情報１，２，…，ｎについて表示或いは非表示を決め、表示する詳細情報については、表示モード１で表示するか、表示モード２で表示するか、或いは両方のモードで表示しないかを設定する。このように設定しておくことで、表示モード１では、このモード１で表示するように設定された詳細情報画面が順次表示され、表示モード２では、このモード２で表示するように設定された詳細情報画面が順次表示されるため、集中コントローラ２を操作する操作者に応じて必要な項目のみを順次表示させることができ、短時間で目的の情報に辿り着くことができる。【００５３】
なお、前記表示モードの選択は、例えば図３の画面で、詳細表示ボタン８ｄを１回押すと表示モード１となり、長押しすると表示モード２になるように設定しておくことで可能である。【００５４】
以上説明したように、本実施例によれば、複数の空調機グループの管理をする集中コントローラの画面上に、各種の詳細情報（空調機グループ毎の運転モードや設定温度等の運転情報の確認、点検の要否やフィルタ清掃の要否等のメンテナンス情報の確認など）を一度にまとめて表示せず、１画面に全空調機グループの情報を示すグループアイコン８ａを一定の配置で表示させ、ボタンを１回押す毎に、全空調機グループの運転情報を示すグループアイコン８ａを１画面に１種類ずつ前記一定の配置で表示させながら、詳細情報を切り替えて表示させるため、異なる詳細情報を順次同じ位置に表示させることができ、全空調機グループの各種詳細情報を容易に確認することができる空調管理システムを実現することができる。【００５５】
また、集中コントローラの表示部に運転状態を表示してその確認をした後、運転条件設定画面１３のように、設定変更画面をポップアップ表示させることができるので、運転状態確認後、簡単な操作で、即座に設定変更できる効果もある。  
更に、各種の詳細情報を１種類ずつ切り替えて表示するため、字や図を大きく表示できる効果もある。【００５６】
また、図３に示す通常表示画面８では、１つの空調機グループにでもメンテナンスが必要な機器があれば、コントローラ表示部２ｄの上部に各種情報アイコン８ｃとして、「緊急停止中」「要点検」「要フィルタ清掃」などのメンテナンスアイコンも表示するようにしているので、図１０に示すメンテナンス情報表示画面１４に遷移させることで、どの空調機グループにメンテナンスが必要かを即座に知ることができる。従って、メンテナンス情報の見逃し防止や迅速なメンテナンスが可能になる効果もある。【００５７】
設定温度表示画面１０により、空調機グループ毎に設定されている温度を瞬時に知ることができ、冷やし過ぎ、暖め過ぎを防止し、集中コントローラ２から強制的に設定温度を変更することで、省エネ化にも効果がある。また、ビル管理人など一般ユーザーが必要な運転情報を容易に知ることができるだけでなく、空調機の保守管理をするサービスマンも点検時に必要な運転情報を容易に知ることができる。【００５８】
上述したように、本実施例によれば、集中コントローラの表示部に、複数の空調機グループの各種運転情報を、操作者が簡単な操作で確認しやすく表示させることが可能となり、空調管理システムにおける設定から外れた運転動作をしている空調機グループを容易に把握して、即座に設定変更が可能な空調管理システムを得ることができる。
【符号の説明】
【００５９】
１  空調管理システム
２  集中コントローラ（２ａ：通信部、２ｂ：制御部、２ｃ：入力部、２ｄ：コントローラ表示部、２ｅ：記憶部）
３  室外ユニット（３ａ：通信部、３ｂ：制御部）
４（４１，…，４ｎ）  室内ユニット（４ａ：通信部、４ｂ：制御部）
５  リモコンスイッチ（リモコン）（５ａ：通信部、５ｂ：制御部、５ｃ：入力部、５ｄ：表示部、５ｅ：記憶部）
６  制御配線
７  蓄熱ユニット
８  通常表示画面（８ａ：グループアイコン（グループ表示部）、８ｂ：ブロックアイコン、８ｃ：各種情報アイコン、８ｄ：詳細表示ボタン（グループ運転情報表示手段）、８ｅ：前情報表示ボタン、８ｆ：後情報表示ボタン、８ｇ：通常表示ボタン、８ｈ：冷房推奨温度設定ボタン、８ｉ：暖房推奨温度設定ボタン、８ｊ：メニューボタン、８ｋ：全グループ一括設定ボタン、８ｌ：全グループ一括運転ボタン、８ｍ：全グループ一括停止ボタン）
９  運転モード（詳細情報１）表示画面（９ａ：異運転モードグループアイコン）
１０  設定温度（詳細情報２）表示画面
１１  風量表示画面
１２  風向表示画面
１３  運転条件設定画面
１４  メンテナンス情報表示画面
１５  圧縮機運転状態表示画面
１６  空調機運転時間表示画面
１７  推奨温度設定画面
１８  詳細情報表示設定画面（１８ａ：表示モード１ボタン、１８ｂ：表示モード２ボタン）
２０  詳細情報ｎ表示画面
Ａ，Ｂ，Ｃ，Ｄ  ブロック
Ａ１，Ａ２，Ｂ１，Ｂ２，Ｃ１，Ｃ２，Ｄ１，Ｄ２  空調機グループ（グループ）
【図１】
0005592412.tif 000002
【図２】
0005592412.tif 000003
【図３】
0005592412.tif 000004
【図４】
0005592412.tif 000005
【図５】
0005592412.tif 000006
【図６】
0005592412.tif 000007
【図７】
0005592412.tif 000008
【図８】
0005592412.tif 000009
【図９】
0005592412.tif 000010
【図１０】
0005592412.tif 000011
【図１１】
0005592412.tif 000012
【図１２】
0005592412.tif 000013
【図１３】
0005592412.tif 000014
【図１４】
0005592412.tif 000015
【図１５】
0005592412.tif 000016
【図１６】
0005592412.tif 000017
【図１７】
0005592412.tif 000018
【図１８】
0005592412.tif 000019